(57)【要約】【課題】  OFDMなどのマルチキャリア通信方式において通信品質を改善する、または信号処理を簡略化することを目的とする。【解決手段】  ターボ符号化した符号語の組織ビットとパリティビットのように要求される通信品質が異なる情報を組合せ、上記組織ビットのように高い通信品質を要求する情報を、該組織ビットのように高い通信品質を要求しない上記パリティビットのような情報よりも復調の基準位相として用いるパイロット信号が存在するキャリアに近い周波数を持つキャリアに配置する。【選択図】  図1
2007135021.tif 000002
【特許請求の範囲】
【請求項１】
複数のキャリアを用いて送信機と受信機とが通信を行い、復調の基準信号として用いるパイロット信号が一部のキャリアを用いて送信され、要求される通信品質が異なる情報を組合せ、該組み合わせた情報を複数のキャリアに分割して通信するマルチキャリア無線通信システムにおける情報送信方法であって、
送信機は、高い通信品質を要求する情報を、該高い通信品質を要求する情報以外の情報よりも前記パイロット信号が送信されるキャリアと近い周波数を持つキャリアに配置し、
該配置した各情報を各キャリアごとに変調して送信することを特徴とする情報送信方法。
【請求項２】
前記要求される通信品質が高い情報が組織符号の符号語の組織ビットであり、前記要求される通信品質が低い情報が組織符号の符号語のパリティビットであることを特徴とする請求項１記載の情報送信方法。
【請求項３】
前記通信路符号としてターボ符号を用いることを特徴とする請求項２記載の情報送信方法。
【請求項４】
前記要求される通信品質が高い情報がリピティションされていない符号語の一部であり、前記要求される通信品質が低い情報がリピティションされた符号語の一部であることを特徴とする請求項１記載の情報送信方法。
【請求項５】
前記要求される通信品質が高い情報に較べ、要求される通信品質が低い情報が符号化率の高い符号語の一部であることを特徴とする請求項１記載の情報送信方法。
【請求項６】
複数のキャリアを用いて送信機と受信機とが通信を行い、復調の基準信号として用いるパイロット信号が一部のキャリアを用いて送信されマルチキャリア無線通信システムの通信局であって、
送信信号を符号化して符号後を出力する通信路符号化部と、
前記パイロット信号をいずれかのキャリアにより変調するマルチキャリア変調部と、
該符号語に含まれる情報を高い通信品質を要求する情報とそれ以外の情報とを区別し、該高い通信品質を要求する情報を前記それ以外の情報よりも前記パイロット信号が送信されるキャリアと近い周波数を持つキャリアに配置して前記マルチキャリア変調部に向けて出力するマッピング部とを有することを特徴とする通信局。
【請求項７】
前記要求される通信品質が高い情報が組織符号の符号語の組織ビットであり、前記要求される通信品質が低い情報が組織符号の符号語のパリティビットであることを特徴とする請求項６記載の通信局。
【請求項８】
前記通信路符号化部は、前記符号化にターボ符号を用いることを特徴とする請求項６または７記載の通信局。
【請求項９】
前記要求される通信品質が高い情報がリピティションされていない符号語の一部であり、前記要求される通信品質が低い情報がリピティションされた符号語の一部であることを特徴とする請求項６記載の通信局。
【請求項１０】
前記要求される通信品質が高い情報に較べ、要求される通信品質が低い情報が符号化率の高い符号語の一部であることを特徴とする請求項６記載の通信局。
【請求項１１】
キャリアを複数のグループにグループ化し、前記パイロット信号が送信されるキャリアと近い周波数を持つキャリアグループほど高い通信品質を要求する情報の割合が高くなるように信号を配置することを特徴とする請求項1記載の情報送信方法。
【請求項１２】
前記複数のキャリアが複数のグループにグループ化され、
前記マッピング部は、前記パイロット信号が送信されるキャリアと近い周波数を持つキャリアグループほど高い通信品質を要求する情報の割合が高くなるように信号を配置することを特徴とする請求項6記載の通信局。
【請求項１３】
前記パイロット信号を一部のキャリア及び時間に離散的に配置し、
前記高い通信品質を要求する情報を、該高い通信品質を要求する情報以外の情報よりも前記パイロット信号が配置されるキャリア及び時間に対して近い周波数及び時間に配置することを特徴とする請求項１記載の情報送信方法。
【請求項１４】
前記マルチキャリア変調部は、パイロット信号を一部のキャリア及び時間に離散的に配置して送信し、
前記マッピング部は、高い通信品質を要求する情報を、該高い通信品質を要求する情報以外の情報よりも前記パイロット信号が送信されるキャリア及び時間に対して近い周波数及び時間に配置することを特徴とする請求項６記載の通信局。
【請求項１５】
前記パイロット信号が一部のキャリア及び時間に離散的に配置され、
通信する信号は信号が配される時間及び周波数毎に複数のグループにグループ化し、前記パイロット信号に対して近傍の時間及び周波数を持つグループほど高い通信品質を要求する情報の割合が高くなるように信号を配置することを特徴とする請求項１記載の情報送信方法。
【請求項１６】
前記マルチキャリア変調部はパイロット信号を一部のキャリア及び時間に離散的に配置して変調し、
通信する信号は信号が配される時間及び周波数毎に複数のグループにグループ化され、
前記マッピング部は、前記パイロット信号に対して近傍の時間及び周波数を持つグループほど前記高い通信品質を要求する情報の割合が高くなるように信号を配置することを特徴とする請求項６記載の通信局。
【発明の詳細な説明】
【技術分野】
【０００１】
本発明はキャリア毎に品質差が生じるマルチキャリア通信において、符号化した信号を配置する方法及当該方法を実現する通信装置に関する。
【背景技術】
【０００２】
無線通信の広帯域化に伴って、送信情報を以下サブキャリアと称する複数の周波数帯域に分割して通信を行うマルチキャリア通信方式が用いられている。マルチキャリア通信方式のうち、OFDM（Orthogonal Frequency Division Multiplexing：直交周波数分割多重）方式はシンボル時間範囲で直交関係にある複数の周波数を用いることでサブキャリア間のガードバンドを不要とし、周波数利用効率を向上させることからIEEE802.11a等の無線LANをはじめ、種々のシステムで採用されている。
【０００３】
一方無線通信システムにおいて良好な誤り率特性を得ることができる通信路符号として、例えばW-CDMAやcdma2000といった標準規格ではターボ符号が採用されている。図２にターボ符号の符号化処理の例として、標準規格cdma2000で用いられるターボ符号の符号化処理の流れを示す。図中、円内に十字のある記号は排他的論理和演算を示す。
【０００４】
図２のターボ符号化処理において、符号化処理に入力された情報ビット列200はスイッチ部216及びターボインタリーバ205に入力される。スイッチ216を経由した情報ビット列は直接、組織ビット列X210として符号化処理から出力される。スイッチ216を経由した情報ビット列はまた畳み込み符号化部215に入力され、畳み込み符号化部215におけるシフトレジスタ及び排他的論理和演算による畳み込み演算結果をパリティビット列Y0211及びY1212として符号化処理から出力される。一方、ターボインタリーバ205では情報ビット列200は一旦蓄積され、インタリーブ処理によってビット順を変更されてスイッチ226に出力される。スイッチ226を経由したビット列は直接、組織ビット列X'220として、或いは畳み込み符号化部225におけるシフトレジスタ及び排他的論理和演算による畳み込み演算結果をパリティビット列Y'0221及びY'1222として符号化処理から出力される。スイッチ216及び226は通常は上側の情報ビット側を選択し、符号化処理の終了時には下側のシフトレジスタのフィードバックループを選択して出力する。
【０００５】
図２のターボ符号化処理では、情報ビット列200の入力に対し、組織ビット列X210及びX'220、パリティビット列Y0211,Y1212,Y'0221及びY'1222が出力されるため、生成される符号長は元の情報ビットの約6倍、即ち符号化率1/6の符号が生成される。1/6よりも高い符号化率の符号が必要な際には、図２のターボ符号化処理の出力として生成された符号の一部をパンクチャすることにより、あるいはビット列210,211,212,220,221,222から必要な系列のみを選択することにより、より符号化率の高い符号を生成する。
【０００６】
上記のように生成されたターボ符号は組織ビット列とパリティビット列とで生成時の処理が異なる為、雑音や干渉の影響を受けた信号を受信側において復号した際の特性は、組織ビット列とパリティビット列とで異なる。具体的には、パリティビット列に比べて組織ビット列は雑音や干渉に対する影響を受けやすく、パリティビット列に対して雑音や干渉が加わった場合よりも、同じ電力の雑音や干渉が組織ビット列に対して加わった場合により大きく特性が劣化する。
【０００７】
このため、例えば特開2004-187257号公報（特許文献１）「マルチキャリア送信装置及びマルチキャリア送信方法」では、中心周波数付近のサブキャリアよりも両端付近のサブキャリアの方が隣接チャネルからの干渉を多く受ける、特性が劣化しやすいとの見解から、中心周波数付近のサブキャリアに組織ビットを、両端付近のサブキャリアにパリティビットを配置する技術が紹介されている。
【０００８】
また例えば特開2003-101504号公報（特許文献２）「送信装置および方法、通信システム、記録媒体、並びにプログラム」では、受信側が伝搬路に生じるフェージングを測定し、送信側ではこの情報を利用してフェージングにより劣化が生じるサブキャリアにはパリティビットを割り当てて劣化を低減する技術が紹介されている。
【０００９】
【特許文献１】特開2004-187257号公報
【００１０】
【特許文献２】特開2003-101504号公報
【発明の開示】
【発明が解決しようとする課題】
【００１１】
IEEE802.11aのようにOFDMを採用するシステムでは、一部のサブキャリアにおいて基準振幅及び位相をもったパイロット信号を送信し、受信局は測定したパイロット信号の信号振幅及び位相を基準として伝搬路における信号の変動を推定する。
【００１２】
パイロット信号以外の信号については、パイロット信号を用いて推定したパイロット信号が存在するサブキャリアの伝搬路における信号の変動を基準に、パイロット信号が存在しないサブキャリアについても補間して変動を予想し、予想した変動を補償して復調を行う。
【００１３】
このため単純な方式によって補間を行うとパイロット信号が存在するサブキャリアから離れたサブキャリアほど本来の伝搬路変動に対して誤差を持った伝搬路変動を予想して復調を行うこととなり、パイロット信号から離れたサブキャリアの信号ほど劣化が大きくなり、該劣化が大きくなる信号が例えばターボ符号の組織ビットのように高い通信品質を要求し、誤り耐性が低い情報であった場合に通信全体の特性が大きく劣化するという問題が発生する。
【００１４】
本発明は上記の問題を解決すべくなされたものであり、OFDMなどのマルチキャリア通信方式でパイロット信号の測定結果を元に簡易な補間方式を用いて他の信号の伝搬路変動を推定し、復調した場合においても、大きく特性が劣化することが無い信号配置方法並びに該方式を適用した通信装置を提供することを目的とする。
【課題を解決するための手段】
【００１５】
上記課題を解決するための手段として、本発明による信号配置方法では、複数のキャリアに情報を分割して通信するマルチキャリア無線通信システムにおいて、例えばターボ符号化した符号語の組織ビットとパリティビットのように要求される通信品質が異なる情報を組合せ、上記組織ビットのように高い通信品質を要求する情報を、該組織ビットのように高い通信品質を要求しない上記パリティビットのような情報よりも復調に用いる位相を得るための基準信号として用いるパイロット信号が存在するキャリアに近い周波数を持つキャリアに配置して送信する。
【発明の効果】
【００１６】
本発明によれば、OFDMなどのマルチキャリア通信方式でパイロット信号の測定結果を元に簡易な補間方式を用いて他の信号の伝搬路変動を推定し、復調した場合においても、大きく特性が劣化することが無い信号配置方法並びに該方式を適用した通信装置を提供する。
【００１７】
ターボ符号化した符号語の組織ビットとパリティビットのように要求される通信品質が異なる情報を組合せ、上記組織ビットのように高い通信品質を要求する情報を、該組織ビットのように高い通信品質を要求しない上記パリティビットのような情報よりも復調の基準位相として用いるパイロット信号が存在するキャリアに近い周波数を持つキャリアに配置することで、OFDMなどのマルチキャリア通信方式において通信品質を改善する、または信号処理を簡略化することを可能とする。
【発明を実施するための最良の形態】
【００１８】
以下、本発明の実施の形態について、図面を用いて説明する。
【００１９】
以下の説明では簡単のために第1の無線局から第2の無線局に対して送信する信号に対して本発明の信号配置方法を適用する場合について説明し、上記第1の無線局を送信局、上記第2の無線局を受信局と称する。一方本発明の信号配置方法は第1の無線局から第2の無線局への信号送信に対してと、第2の無線局から第1の無線局への信号送信に対してとの両方に対して適用することが可能であり、この場合、該第1及び第2の無線局はそれぞれ以下で説明する送信局と受信局との両方の信号処理を行う。
【００２０】
例えばセルラシステムやインフラストラクチャモードの無線LANのような以下固定局と称する基地局ないしはアクセスポイントと、以下移動局と称するユーザ端末とが存在するシステムにおいては、固定局から移動局への通信に対して本発明を適用する際には固定局が本発明の送信局、移動局が本発明の受信局に対応する。逆に移動局から固定局への通信に対して本発明を適用する際には移動局が本発明の送信局、固定局が受信局に対応し、また固定局から移動局、移動局から固定局の両方の通信に対して本発明を適用する際には、固定局及び移動局のそれぞれが送信局及び受信局として両方の信号処理を行う。
【００２１】
またアドホックモードの無線LANのように端末同士が直接通信するシステムにおいては、本発明を適用する信号を送信する際には各端末がそれぞれ本発明の送信局として動作し、本発明を適用する信号を受信する際には各端末がそれぞれ本発明の受信局として動作する。
【００２２】
また、以下ではマルチキャリア通信方式として、各サブキャリアをシンボル単位で直交するような周波数に配置するOFDM方式を例に本発明の実施の例について説明しているが、本発明はOFDM方式に限定されるものではなく、複数のサブキャリアを用い、そのうちの一部のサブキャリアを復調の際の基準に用いるマルチキャリア方式であれば適用可能である。
【００２３】
まず、本発明の送信側で行う処理手順の概要を図１３を用いて説明する。送信データに符号化処理を行い、符号語を生成する。そして、符号語のビットを、受信機側での復号の際に符号語が正しく復号されるために重要なビットとそうでないビットを区別し、これらを重要度な順に、パイロット信号に近い周波数および／またはタイムスロットに配置する。このように配置された送信ビットを各サブキャリアごとに変調し、送信する。（方法クレームを作るために、フロー図を追加。米国出願対策）
図３は本発明の送信局の構成及び信号の流れの一例である。
【００２４】
送信情報はまず通信路符号化部300において符号化され、高い通信品質を要求する情報とその他の情報とに分離される。例えば、通信路符号化部300が図2に示したターボ符号化部の場合は、高い通信品質を要求する情報とは組織ビット列であり、その他の情報とはパリティビット列である。通信路符号化された情報はそれぞれインタリーブ部301に入力される。インタリーブ部301では、高い通信品質を要求する情報とその他の情報はそれぞれインタリーブ処理され、マッピング部302に入力される。マッピング部302ではインタリーブ処理された高い通信品質を要求される情報とその他の情報はそれぞれサブキャリアに対応するように割り当てられ、シンボル変調部305に入力される。
【００２５】
シンボル変調部305には、マッピング部302の出力である情報と、固定位相及び振幅を持つ信号であるパイロット信号とが入力され、それぞれ例えばPSK(Phase Shift Keying：位相偏移変調)やQAM(Quadrature Amplitude Modulation：直交振幅変調)といった変調方式を用いて変調される。変調された信号はサブキャリア順を変更され、図１に示すサブキャリアの信号配置方法のように配置されてシンボル変調部305から出力される。
【００２６】
図１は本発明におけるサブキャリアへの信号配置方法の一例を示す模式図であり、周波数軸上に配された各サブキャリアの様子を示している。
【００２７】
図１中、記号100は以下パイロットキャリアと称するパイロット信号が配されるサブキャリアを表し、記号101及び102はパイロットキャリア以外のサブキャリアを示す。図１では例として、4のパイロットキャリアを含む52のサブキャリアが存在する環境について示すが、本発明はこれらのサブキャリア数に制限されることは無く、サブキャリア数及びパイロットサブキャリア数に制限は無い。
【００２８】
サブキャリア順変更処理では、高い通信品質を要求する情報はパイロットサブキャリア100に近いサブキャリア101に配置され、その他の情報はパイロットサブキャリア100から離れたサブキャリア102に配されるようにサブキャリアの順序が変更される。
【００２９】
なお、図１ではパイロットサブキャリア100に近いサブキャリア101と離れたサブキャリア102とが同数の場合の様子を示しているが、高い通信品質を要求する情報とその他の情報との量に差がある場合や、サブキャリアによって用いられる変調方式が異なる場合等、高い通信品質を要求する情報を通信する為に必要なサブキャリアの数とその他の情報を通信する為に必要なサブキャリアの数が異なる場合には、パイロットサブキャリア100に近いサブキャリア101と離れたサブキャリア102とが同数である必要は無い。
【００３０】
シンボル変調部305から出力された信号はOFDM変調部（マルチキャリア変調部）306に入力され、例えばIFFT(Inverse Fast Fourier Transform：逆高速フーリエ変換)のような処理を用いて各サブキャリアに割り当てられた周波数領域の信号を時間領域の信号に変換される。時間領域に変換された信号はGI(Guard Interval)ないしはCP(Cyclic Prefix)を付加され、無線部307において無線周波数から送信され、本発明の信号配置方法を適用した送信局の信号処理となる。
【００３１】
なお、以上の説明では通信路符号化部300において高い通信品質を要求する情報とその他の情報とを分離し、インタリーブ部301以降の処理は並行して行う様子について説明した。一方本発明においてはシンボル変調部305からの出力時に高い通信品質を要求する情報とその他の情報とが以上の説明においてと同様になるならば必ずしも通信路符号化部300の出力時点で分離されていなくとも良い。
【００３２】
図４は本発明における受信局の構成及び信号の流れの一例である。図４の受信局において、無線部407において受信された信号はベースバンド信号に変換され、OFDM復調部406に入力される。OFDM復調部406では、伝搬路における信号遅延時間を考慮して復調を行うシンボルタイミングを決定してGIを除去し、GI除去後のシンボル時間分の受信信号に対して例えばFFT(Fast Fourier Transform：高速フーリエ変換)処理を適用することにより周波数領域のサブキャリア毎の信号に変換してシンボル復調部405に対して出力する。
【００３３】
シンボル復調部405では、まずパイロットサブキャリアとデータが配されたサブキャリアとを分離する。パイロットサブキャリアの受信信号はまず伝搬路推定処理として、送信局において送信されたものとして既知である、固定位相及び振幅のパイロット信号と比較され、伝搬路におけるパイロットサブキャリアの位相及び振幅の変動が推定される。伝搬路推定処理では更にパイロットサブキャリアの位相及び振幅変動から補間処理によって他のサブキャリアの位相及び振幅の変動を推定する。データが配されたサブキャリアの信号は伝搬路推定結果を元に復調され、シンボル復調部405から出力される。パイロット信号とは、以上のように、各サブキャリアにおける通信路伝播による位相および振幅の変動を推定するために利用される基準信号である。
【００３４】
シンボル復調部405から出力された各サブキャリアの信号はマッピング部402において送信局におけるマッピング部302で為された変換の逆変換を為され、更にデインタリーブ部401において送信局におけるインタリーブ部301で為されたインタリーブの逆変換を為されて通信路復号処理400に入力される。通信路復号処理400では送信局における通信路符号化処理300で用いられた符号の復号処理が為され、復号結果が受信情報として出力される。マッピング情報は、送信局のマッピング部302と受信局のマッピング部402で予め共有されるようにする。
【００３５】
図８は本発明における送信局の別の例である。図８において、送信情報はまず通信路符号化部310において符号化され、高い通信品質を要求する情報とその他の情報とに分離される。通信路符号化された情報はそれぞれインタリーブ部311に入力される。インタリーブ部311では、高い通信品質を要求する情報とその他の情報はそれぞれインタリーブ処理され、マッピング部312に入力される。マッピング部312では、1ないし複数のサブキャリアをまとめた複数のサブキャリアグループを仮定し、各サブキャリアグループに対して、インタリーブ処理された高い通信品質を要求される情報とその他の情報とをサブキャリアグループ毎に同じか異なる割合で混合して割り当て、シンボル変調部315に対して出力する。
【００３６】
シンボル変調部315には、マッピング部312の出力である情報と、固定位相及び振幅を持つ信号であるパイロット信号とが入力され、それぞれ例えばPSKやQAMといった変調方式を用いて変調される。変調された信号はサブキャリア順を変更され、図９に示すサブキャリアの信号配置方法のように、配置されてシンボル変調部315から出力される。
【００３７】
図９は、サブキャリアへの信号配置方法の別の一例を示す模式図であり、周波数軸上に配された各サブキャリアの様子を示している。
【００３８】
図９中、記号110は以下パイロットキャリアを表し、記号111、112及び113はサブキャリアグループを表し、111、112、113の順にパイロットキャリアと近い周波数を持つサブキャリアであることを示す。図９では例として、4のパイロットキャリアと3つのサブキャリアグループに分割された48のサブキャリアを合わせて52のサブキャリアが存在する環境について示すが、本発明はこれらのサブキャリア数に制限されることは無く、サブキャリアグループ数、サブキャリア数及びパイロットサブキャリア数に制限は無い。
【００３９】
サブキャリア順変更処理では、高い通信品質を要求する情報が含まれる割合が高いサブキャリアグループから順にパイロットサブキャリア110に近いサブキャリアグループに配置されるようにサブキャリア順を変更する。図９の例では、サブキャリアグループ112に含まれる情報のうち高い通信品質を要求する情報の割合に較べて、サブキャリアグループ111に含まれる情報のうち高い通信品質を要求する情報の割合は同じが大きく、また同様にサブキャリアグループ113の同割合はサブキャリアグループ112の同割合よりも小さいか等しい。
【００４０】
なお、図９では各サブキャリアグループ111、112及び113に属するサブキャリア数は全て等しい様子を示しているが、各サブキャリアグループに属するサブキャリア数は異なっていてもかまわない。また、サブキャリアグループは複数あればよく、図9のほうに3グループである必然性はない。
【００４１】
シンボル変調部315から出力された信号はOFDM変調部316に入力され、例えばIFFTのような処理を用いて各サブキャリアに割り当てられた周波数領域の信号を時間領域の信号に変換される。時間領域に変換された信号はGIを付加され、無線部317において無線周波数から送信され、本発明の信号配置方法を適用した送信局の信号処理となる。
【００４２】
このようにして送信された信号は、図４に示した受信局により同様の処理で受信することができる。
【００４３】
図１０は本発明における送信局の構成及び信号の流れのさらに別の例である。
【００４４】
送信情報はまず通信路符号化部320において符号化され、高い通信品質を要求する情報とその他の情報とに分離される。通信路符号化された情報はそれぞれインタリーブ部321に入力される。インタリーブ部321では、高い通信品質を要求する情報とその他の情報はそれぞれインタリーブ処理され、時間・周波数マッピング部322に入力される。
【００４５】
時間・周波数マッピング部322には、インタリーブ部321の出力と、固定位相及び振幅を持つ信号であるパイロット信号を生成する為の固定値信号とが入力される。時間・周波数マッピング部322では、パイロット信号生成の為の固定値と、インタリーブ処理された高い通信品質を要求する情報と、その他の情報とを図１１に示すシンボル配置のように配置できるようにマッピングされて出力する。
【００４６】
図１１は本発明の別の例における時間・周波数マッピング部における時間・周波数領域のシンボル配置の様子を示す模式図である。記号120はパイロットシンボルを示し、記号121はパイロットシンボルに隣接する時間・周波数のシンボルを、記号122はパイロットシンボルから離れたシンボルを示す。この例では、高い通信品質を要求する情報は記号121のパイロットシンボルに隣接する時間および周波数のシンボルに、高い通信品質を要求しない情報は記号122のパイロットシンボルから離れた時間または周波数のシンボルに配置される。
【００４７】
また図１２は本発明のさらに別の例における時間・周波数マッピング部における時間・周波数領域のシンボル配置の様子を示す模式図である。記号130はパイロットシンボルを示し、記号131,132及び133はシンボルグループを表し、131、132、133の順にパイロットシンボルと近い時間および周波数を持つシンボルであることを示す。時間・周波数マッピング処理では、高い通信品質を要求する情報と高い通信品質を要求しない情報とを混合して各シンボルグループに割り当てる。この際、高い通信品質を要求する情報が含まれる割合が高いシンボルグループから順にパイロットシンボルに近いシンボルグループに割り当てる。図１２の例では、シンボルグループ132に含まれる情報のうち高い通信品質を要求する情報の割合に較べて、シンボルグループ131に含まれる情報のうち高い通信品質を要求する情報の割合は同じか大きく、また同様にシンボルグループ133の同割合はシンボルグループ132の同割合よりも小さいか等しい。
【００４８】
シンボル変調部325には、時間・周波数マッピング部322の出力である情報が入力され、サブキャリアごとにそれぞれ例えばPSKやQAMといった変調方式を用いて変調される。シンボル変調部325において変調された信号はOFDM変調部326に入力され、例えばIFFTのような処理を用いて各サブキャリアに割り当てられた周波数領域の信号を時間領域の信号に変換される。時間領域に変換された信号はGIを付加され、無線部307において無線周波数から送信され、本発明の信号配置方法を適用した送信局の信号処理となる。
【００４９】
このようにして送信された信号は、図４に示した受信局により同様の処理で受信することができる。
【００５０】
以下に、通信路符号化処理部の例について示す。以下の例の通信路符号化処理部は以上に示した通信路符号化部300、310、320のいずれに対しても適用可能である。
【００５１】
図５は通信路符号としてターボ符号を用いる際の通信路符号化処理部の例である。この通信路符号化処理部では、まず例えばターボ符号化部500において送信情報が符号化される。ターボ符号化された符号語のうち、組織ビットはセレクタ／パンクチャ部501に入力され、通信路符号化部の出力として必要なビットのみを選択して高い通信品質を要求する情報としてインタリーブ部に出力される。一方ターボ符号化された符号語のうち、パリティビットはセレクタ／パンクチャ部502に入力され、通信路符号化部の出力として必要なビットのみを選択して高い通信品質を要求しない情報としてインタリーブ部に出力される。ここでは例としてターボ符号を用いているが、符号化により生成された符号語内のビットの誤り耐性に差が生じうる符号であればいかなる符号を用いても構わず、この場合は誤り耐性が低いビットを上記例のターボ符号の組織ビットに替えて、誤り耐性が高いビットを上記例のターボ符号のパリティビットに替えて用いる。誤り耐性が高い／低いビットとは、そのビットが誤って受信された場合であってもそのビットが属する符号語が正しく復号される可能性が高い／低いビットのことをいう。
【００５２】
図６は通信路符号の一部にリピティションを行う際の通信路符号化処理部の例である。この通信路符号化処理部では、まず例えば非組織畳込み符号化処理510において送信情報が符号化される。ここでは例として非組織畳込み符号を用いているが、ここでは通信路符号であればいかなる符号を用いることも可能であり、例えばターボ符号やLDPC(Low Density Parity Check：低密度パリティ検査)符号、組織畳込み符号やReed-Solomon符号等が使用可能である。例として非組織畳込み符号化処理が為された信号の一部は直接インタリーブ部に対して高い通信品質を要求する情報として出力される。また、非組織畳込み符号化処理が為された信号の一部はリピティション部511において複製され、インタリーブ部に対して高い通信品質を要求しない情報として出力される。
【００５３】
図７は複数の通信路符号を用いる際の通信路符号化処理部の例である。この通信路符号化処理部では、送信情報は高符号化率符号化部520と低符号化率符号化部521に入力される。高符号化率符号化部520において符号化された信号はインタリーブ部に対して高い通信品質を要求する情報として、低符号化率符号化部521において符号化された信号はインタリーブ部に対して高い通信品質を要求しない情報として出力される。高符号化率符号化部520及び低符号化率符号化部521において符号化に用いられる符号は通信路符号であればいかなる符号を用いることも可能である。ただし高符号化率符号化部520においては、低符号化率符号化部521においてよりも高いか等しい符号化率の符号を用いて符号化を行う。
【図面の簡単な説明】
【００５４】
【図１】本発明の第1の実施の例におけるサブキャリア配置の例。
【図２】ターボ符号の符号化処理の例。
【図３】本発明の一例における送信局の例。
【図４】本発明の一例における受信局の例。
【図５】通信路符号としてターボ符号を用いた際の本発明における通信路符号化処理部の例。
【図６】通信路符号の一部にリピティションを行う際の本発明における通信路符号化処理部の例。
【図７】複数の通信路符号を用いる際の本発明における通信路符号化処理部の例。
【図８】本発明の一例における送信局の例。
【図９】本発明の一例におけるサブキャリア配置の例。
【図１０】本発明の一例における送信局の例。
【図１１】本発明の一例における時間及び周波数軸上の信号配置の例。
【図１２】本発明の一例における時間及び周波数軸上の信号配置の例。
【図１３】本発明の送信機における処理手順のフロー図。
【符号の説明】
【００５５】
100,110 パイロットサブキャリア、101 パイロットサブキャリアに隣接したサブキャリア、102 パイロットサブキャリアから離れたサブキャリア、111,112,113 サブキャリアグループ、
120,130 パイロットシンボル、121 パイロットシンボルに隣接したシンボル、122、パイロットシンボルから離れたシンボル、131,132,133 シンボルグループ、
200 情報ビット列、205 ターボインタリーバ、210,220 組織ビット列、211,212,221,222 パリティビット列、215,225 畳み込み符号化部、 216,226 スイッチ部、
300,310,320 通信路符号化部、301,311,321 インタリーブ部、302,312 マッピング部、305,315,325 シンボル変調部、306,316,326 OFDM変調部、307,317,327 無線部, 322 時間・周波数マッピング部、
400 通信路復号部、401 デインタリーブ部、402 マッピング部、405 シンボル復調部、406 OFDM復調部、407 無線部、
500 ターボ符号化部、501,502 パンクチャ／セレクタ部、510 非組織畳込み符号化部、511 リピティション部、520 高符号化率符号化部、521 低符号化率符号化部。
【図１】
2007135021.tif 000003
【図２】
2007135021.tif 000004
【図３】
2007135021.tif 000005
【図４】
2007135021.tif 000006
【図５】
2007135021.tif 000007
【図６】
2007135021.tif 000008
【図７】
2007135021.tif 000009
【図８】
2007135021.tif 000010
【図９】
2007135021.tif 000011
【図１０】
2007135021.tif 000012
【図１１】
2007135021.tif 000013
【図１２】
2007135021.tif 000014
【図１３】
2007135021.tif 000015